(57)【要約】【課題】テーマパーク等の施設への入場者が自身の撮像装置により取得した画像データを、施設内のカメラが取得した画像データと同じように管理する。【解決手段】テーマパーク内の撮影システム１Ａ，１Ｂ，１Ｃにおいて被写体ユーザＵ０を撮影して第１の画像データＳ１を取得する。この際、被写体ユーザＵ０が所持する無線タグ３０からユーザＩＤを取得し、これと第１の画像データＳ１とを関連付けて画像保管サーバ４に保管する。被写体ユーザＵ０がデジタルカメラ１０により取得した第２の画像データＳ２もユーザＩＤと関連付けて画像保管サーバ４に保管する。画像保管サーバ４は、ユーザＩＤにより第１および第２の画像データＳ１，Ｓ２を分類して保管する。【選択図】          図１
2004260304.tif 000002
【特許請求の範囲】
【請求項１】
被写体が所持する第１の通信手段から送信される該被写体を特定する識別情報を受信する第２の通信手段、該被写体を撮影することにより該被写体の画像を表す第１の画像データを取得する定点に設置された撮影手段、および前記第２の通信手段が受信した前記識別情報と、前記第１の画像データの撮影日時を表す撮影日時情報と、前記撮影手段の設置場所を表す設置場所情報と、前記第１の画像データとを出力する第１の出力手段を有する複数の撮影システムと、
前記被写体が所持する前記第１の通信手段から送信される前記識別情報を受信する第３の通信手段、前記被写体が所持する撮像装置が取得した、撮影日時を表す撮影日時情報が付与された第２の画像データを取得する画像取得手段、および前記第３の通信手段が受信した前記識別情報と、前記第２の画像データとを出力する第２の出力手段を有する少なくとも１つのカメラ画像取得システムと、
前記複数の撮影システムおよび前記カメラ画像取得システムと接続され、該複数のシステムのそれぞれから出力された前記第１の画像データを前記第２の通信手段が受信した前記識別情報、前記撮影日時情報および前記設置場所情報と関連付けて記憶するとともに、前記カメラ画像取得システムから送信された前記第２の画像データを前記第３の通信手段が受信した前記識別情報と関連付けて記憶する記憶手段と、
前記第１および前記第２の画像データを前記識別情報毎に分類して管理する管理手段とを備えたことを特徴とする画像管理システム。
【請求項２】
前記管理手段は、前記分類された前記第１の画像データに関連付けられた前記撮影日時情報および前記分類された前記第２の画像データに関連付けられた前記撮影日時情報に基づいて、撮影日時順に前記第１および前記第２の画像データをソートして管理する手段であることを特徴とする請求項１記載の画像管理システム。
【請求項３】
前記管理手段は、前記ソートされた前記第２の画像データに前記撮影日時が前後に隣接する少なくとも２つの前記第１の画像データに関連付けられた前記設置場所情報に基づいて、前記ソートされた前記第２の画像データの撮影場所を推定して推定撮影場所情報を取得し、該推定撮影場所情報を前記第２の画像データと関連付けて管理する手段であることを特徴とする請求項２記載の画像管理システム。
【発明の詳細な説明】
【０００１】
【発明の属する技術分野】
本発明は、テーマパーク等において定点に設置されたカメラにより取得した画像データを保管管理する画像管理システムに関するものである。
【０００２】
【従来の技術】
近年、テーマパーク等において、アトラクション内に定点カメラを設置して入場者を被写体として撮影を行い、撮影により得られた画像データをプリント出力して得られたプリントを入場者に渡すというプリントシステムが提案されている。このようなプリントシステムにおいては、アトラクション毎に入場者にプリントが渡されるため、入場者はプリントが出来上がるまでアトラクション毎に待つ煩わしさがある。
【０００３】
このため、入場者を特定するためのＩＤ情報を記録した無線ＩＣカードのような無線タグを入場者に渡し、テーマパーク内に複数設置された定点カメラにより撮影を行うシステムが提案されている（特許文献１参照）。このシステムにおいては、撮影時にＩＤ情報を無線タグから定点カメラとともに設置された通信装置に送信し、撮影により得られた画像データとＩＤ情報とを関連付けて画像サーバに保管している。このため、入場者は後日画像サーバにアクセスし、ＩＤ情報に基づいて画像データを検索することにより、テーマパーク内において得られた自身の画像をまとめて参照することができ、これにより、アトラクション毎にプリントの受け取りを待つという入場者の煩わしさを低減することができる。また、特許文献１に記載されたシステムにおいては、入場者が無線タグを操作することにより、定点カメラを操作して定点カメラの方を向いた自身の画像の撮影を行うことも可能である。
【０００４】
【特許文献１】
特開２００１−１７７５０号公報
【０００５】
【発明が解決しようとする課題】
ところで、テーマパークの入場者がデジタルカメラやカメラ付き携帯電話等の撮像装置を所持している場合には、入場者はテーマパーク内に設置された定点カメラが取得した画像データ（以下第１の画像データとする）および自身のデジタルカメラにより取得した画像データ（以下第２の画像データとする）を取得することができる。このように第１および第２の画像データを取得した場合、第２の画像データを第１の画像データが保管された画像サーバに送信して、第２の画像データを第１の画像データと同じように管理したいという要望がある。
【０００６】
本発明は上記事情に鑑みなされたものであり、テーマパークへの入場者が自身の撮像装置により取得した第２の画像データを、定点カメラが取得した第１の画像データと同じように管理することを目的とする。
【０００７】
【課題を解決するための手段】
本発明による画像管理システムは、被写体が所持する第１の通信手段から送信される該被写体を特定する識別情報を受信する第２の通信手段、該被写体を撮影することにより該被写体の画像を表す第１の画像データを取得する定点に設置された撮影手段、および前記第２の通信手段が受信した前記識別情報と、前記第１の画像データの撮影日時を表す撮影日時情報と、前記撮影手段の設置場所を表す設置場所情報と、前記第１の画像データとを出力する第１の出力手段を有する複数の撮影システムと、
前記被写体が所持する前記第１の通信手段から送信される前記識別情報を受信する第３の通信手段、前記被写体が所持するデジタルカメラやカメラ付き携帯電話等の撮像装置が取得した、撮影日時を表す撮影日時情報が付与された第２の画像データを取得する画像取得手段、および前記第３の通信手段が受信した前記識別情報と、前記第２の画像データとを出力する第２の出力手段を有する少なくとも１つのカメラ画像取得システムと、
前記複数の撮影システムおよび前記カメラ画像取得システムと接続され、該複数のシステムのそれぞれから出力された前記第１の画像データを前記第２の通信手段が受信した前記識別情報、前記撮影日時情報および前記設置場所情報と関連付けて記憶するとともに、前記カメラ画像取得システムから送信された前記第２の画像データを前記第３の通信手段が受信した前記識別情報と関連付けて記憶する記憶手段と、
前記第１および前記第２の画像データを前記識別情報毎に分類して管理する管理手段とを備えたことを特徴とするものである。
【０００８】
第１の通信手段としては、長距離型（交信範囲数メートル程度）の無線タグ（ＲＦＩＤ  ：  Ｒａｄｉｏ  Ｆｒｅｑｕｅｎｃｙ  ＩＤｅｎｔｉｆｉｃａｔｉｏｎ）とその受信アンテナを利用することが考えられる。
【０００９】
なお、本発明による画像管理システムにおいては、前記管理手段を、前記分類された前記第１の画像データに関連付けられた前記撮影日時情報および前記分類された前記第２の画像データに関連付けられた前記撮影日時情報に基づいて、撮影日時順に前記第１および前記第２の画像データをソートして管理する手段としてもよい。
【００１０】
「撮影日時順」とは、撮影日時が古い順であっても撮影日時が新しい順であってもよい。
【００１１】
また、本発明による画像管理システムにおいては、前記管理手段を、前記ソートされた前記第２の画像データに前記撮影日時が前後に隣接する少なくとも２つの前記第１の画像データに関連付けられた前記設置場所情報に基づいて、前記ソートされた前記第２の画像データの撮影場所を推定して推定撮影場所情報を取得し、該推定撮影場所情報を前記第２の画像データと関連付けて管理する手段としてもよい。
【００１２】
【発明の効果】
本発明によれば、撮影システムの撮影手段により被写体が撮影されて第１の画像データが取得されるが、その際、被写体が所持する第１の通信手段から送信される識別情報が第２の通信手段により受信される。そして、第２の通信手段が受信した識別情報、第１の画像データの撮影日時を表す撮影日時情報、撮影手段の設置場所を表す設置場所情報および第１の画像データが第１の出力手段から出力される。
【００１３】
一方、被写体が所持する撮像装置に保管された撮影日時情報が付与された第２の画像データがカメラ画像取得システムの画像取得手段により取得される。その際、被写体が所持する第１の通信手段から送信される識別情報が第３の通信手段により受信される。そして、第３の通信手段が受信した識別情報および第２の画像データが第２の出力手段から出力される。
【００１４】
第１および第２の画像データは、複数の撮影システムおよびカメラ画像取得手段と接続された記憶手段に記憶される。この際、第１の画像データは第２の通信手段が受信した識別情報、第１の画像データの撮影日時情報および設置場所情報と、第２の画像データは第３の通信手段が受信した識別情報とそれぞれ関連付けられて記憶手段に記憶される。そして、第１および第２の画像データは、管理手段により識別情報毎に分類されて管理される。
【００１５】
このため、被写体は記憶手段にアクセスして識別情報を検索キーとして検索することにより、撮影システムが取得した第１の画像データと自身が取得した第２の画像データとを同時に参照することができる。したがって、撮影システムが取得した第１の画像データとともに、自身が取得した第２の画像データについてもプリント注文やアルバムの作成を効率よく行うことができる。
【００１６】
また、分類された第１の画像データに関連付けられた撮影日時情報および分類された第２の画像データに関連付けられた撮影日時情報に基づいて、撮影日時順に第１および第２の画像データをソートすることにより、撮影システムが取得した第１の画像データおよび自身が取得した第２の画像データを撮影日時順に参照することが可能となり、その結果、プリント注文やアルバムの作成を容易に行うことができる。
【００１７】
また、第１および第２の画像データを撮影日時順にソートすることにより、第２の画像データに撮影日時が前後する少なくとも２つの第１の画像データの撮影場所から、第２の画像データの撮影場所を推定することが可能である。したがって、ソートされた第２の画像データに撮影日時が前後する少なくとも２つの第２の画像データに関連付けられた設置場所情報に基づいて、ソートされた第２の画像データの撮影場所を推定して推定撮影場所情報を取得し、これを第２の画像データと関連付けて管理することにより、第２の画像データの撮影場所を大まかながらも推定することができる。したがって、アルバムを作成する際に、第２の画像データに撮影場所を文字として付与したり第１および第２の画像データを撮影場所毎に分類することが容易となる。
【００１８】
【発明の実施の形態】
以下図面を参照して本発明の実施形態について説明する。図１は本発明の実施形態による画像管理システムの構成を示す概略ブロック図である。図１に示すように、本実施形態による画像管理システムは、テーマパーク内に設置されるものであり、テーマパーク内に設置されてテーマパークの入場者である人物（以下被写体ユーザＵ０とする）を被写体として撮影を行って被写体の画像を表す第１の画像データＳ１を取得する複数（ここでは３つ）の撮影システム１Ａ，１Ｂ，１Ｃと、テーマパークの入場者である被写体ユーザＵ０が所持するデジタルカメラ１０から被写体ユーザＵ０が撮影により取得した第２の画像データＳ２を読み出すためのカメラ画像取得システム２と、撮影システム１Ａ，１Ｂ，１Ｃおよびカメラ画像取得システム２とネットワーク３を介して接続された画像保管サーバ４とを備える。なお、画像保管サーバ４は、被写体ユーザＵ０が所持するパソコン、携帯電話およびＰＤＡ等の端末装置６並びに画像データＳ１，Ｓ２のプリント出力、アルバムの作成およびＣＤ−Ｒへの記録等を行うラボ８とネットワーク３を介して接続されている。また、画像保管サーバ４には、後述する無線タグ３０に記憶されたユーザＩＤと、ユーザの氏名、住所等のユーザ情報とが対応付けて記憶されている。
【００１９】
被写体ユーザＵ０はデジタルカメラ１０および無線タグ３０を所持し、テーマパーク内を移動することにより、撮影システム１Ａ，１Ｂ，１Ｃにより撮影されつつ、デジタルカメラ１０により撮影を行って画像データＳ２を取得する。
【００２０】
なお、無線タグ３０はテーマパークへの入場時に被写体ユーザＵ０に渡される。
【００２１】
図２は撮影システムの構成を示す概略斜視図である。なお、撮影システム１Ａ，１Ｂ，１Ｃの構成は同一であるため、ここでは撮影システム１Ａについてのみ説明する。図２に示すように撮影システム１Ａは、テーマパーク内の撮影エリア５Ａ内に存在する被写体ユーザＵ０の撮影を行うものであり、エリア１９に入場する入場者数をカウントするためのゲート１１Ａ，１１Ｂと、ゲート１１Ａ，１１Ｂの間のエリア１９に存在する無線タグ３０を所持する被写体ユーザＵ０の数をカウントする広域センサ１２と、撮影エリア５Ａ内に存在する無線タグ３０を所持する被写体ユーザＵ０と通信を行う通信デバイス１３と、被写体ユーザＵ０の撮影を行う撮影デバイス１４と、被写体ユーザＵ０への撮影指示や撮影デバイス１４が取得した画像データＳ１の表示等を行う表示器１５と、撮影デバイス１４により被写体ユーザＵ０を捕捉するために、撮影エリア５Ａ内に存在する被写体ユーザＵ０を検出するための赤外線センサや超音波センサからなる人物センサ１６Ａ，１６Ｂとを備える。
【００２２】
ゲート１１Ａ，１１Ｂはエリア１９に入場する入場者数を無線タグ３０の所持、不所持に拘わらずカウントするためのものであり、カウント数は例えば画像保管サーバ４とともに設置された不図示のテーマパークのシステムに入力され、エリア１９に入場した入場者数の把握に用いられる。また、カウント数は入場者数を表す情報として撮影デバイス１４にも入力され、撮影動作の制御に用いられる。
【００２３】
なお、ゲート１１Ａ，１１Ｂとしては、電光管により人物の数をカウントするもの、回転可能な遮断バーを設け、遮断バーを回転させることにより人物を通過させて人物数をカウントするもの等、人物の数をカウントすることができる任意の構成を有するものを用いることができる。
【００２４】
広域センサ１２は、エリア１９内に存在する無線タグ３０を所持する被写体ユーザＵ０を検出する。図３は広域センサ１２の構成を示す概略ブロック図である。図３に示すように、広域センサ１２は、問い合わせ情報を表す問い合わせ信号を所定間隔で発信するとともに、無線タグ３０からの問い合わせ信号に対する返信信号を受信する通信部１２Ａと、返信信号を受信した旨を表す信号、返信信号により表される返信情報を撮影デバイス１４に出力する出力部１２Ｂとを備える。
【００２５】
通信デバイス１３は、撮影エリア５Ａに存在する無線タグ３０を所持する被写体ユーザＵ０と通信を行う。図４は通信デバイス１３の構成を示す概略ブロック図である。図４に示すように、通信デバイス１３は、問い合わせ情報を表す問い合わせ信号を所定間隔で発信するとともに、無線タグ３０からの問い合わせ信号に対する返信信号、さらには無線タグ３０から送信される撮影指示信号を受信する通信部１３Ａと、通信部１３Ａが受信した返信信号を撮影デバイス１４に出力する出力部１３Ｂとを備える。
【００２６】
ここで、無線タグ３０が送信する返信信号により表される返信情報は、被写体ユーザＵ０を特定するユーザＩＤを含む。ユーザＩＤは被写体ユーザＵ０に固有の番号であり、予め無線タグ３０に記憶された番号をユーザＩＤとして用いてもよく、無線タグ３０を被写体ユーザＵ０に渡す際に、その被写体ユーザＵ０が所望とする番号や記号をユーザＩＤとして無線タグ３０に記憶してもよい。
【００２７】
図５は撮影デバイスの構成を示す概略ブロック図である。図５に示すように撮影デバイス１４は、デジタルカメラからなり、撮影により第１の画像データＳ１を取得する撮影部１４Ａと、第１の画像データＳ１を一時的に記憶する第１のメモリ１４Ｂと、ゲート１１Ａ，１１Ｂ、広域センサ１２、通信デバイス１３、表示器１５および人物センサ１６Ａ，１６Ｂと信号の送受信を行う送受信部１４Ｃと、撮影デバイス１４の駆動を制御する制御部１４Ｄと、制御プログラムや種々の情報を記憶する第２のメモリ１４Ｅと、撮影部１４Ａのパンおよびチルトを行う駆動部１４Ｆと、ネットワーク３に接続された通信部１４Ｇとを備える。
【００２８】
撮影デバイス１４においては、広域センサ１２が撮影デバイス１４に送信した、広域センサ１２が返信信号を受信した旨を表す信号に基づいて、制御部１４Ｄが撮影部１４Ａを直ちに撮影可能な待機状態に設定する。
【００２９】
また、撮影デバイス１４は、ゲート１１Ａ，１１Ｂがカウントしたエリア１９内への入場者数を表す情報に基づいて、エリア１９内への入場者数を把握して撮影モードを切り替える。具体的には、制御部１４Ｄがエリア１９内への入場者数をしきい値Ｔｈ１と比較し、しきい値Ｔｈ１未満であって自動撮影に適した状態にある場合には撮影部１４Ａの撮影モードを自動撮影に切り替える。なお、入場者数がしきい値Ｔｈ１以上となって撮影のために１つの被写体ユーザＵ０を特定することが困難となった場合には、制御部１４Ｄが撮影を待機するように撮影部１４Ａの撮影モードを切り替える。
【００３０】
なお、入場者数がしきい値Ｔｈ１以上となった場合には、撮影エリア５Ａ内に無線タグ３０を所持する複数の被写体ユーザＵ０が複数存在する可能性があり、１つの被写体ユーザＵ０を特定することが困難であるため、被写体ユーザＵ０が無線タグ３０を操作することによって撮影を行うマニュアル撮影モードに撮影モードを切り替えてもよい。この場合、撮影デバイス１４は、撮影時に被写体ユーザＵ０に撮影を行わせる指示を指示信号として表示器１５に送信する。また、無線タグ３０から送信された返信信号により表される返信情報にはユーザＩＤが含まれるため、ユーザＩＤに基づいて撮影しようとする被写体ユーザＵ０に表示器１５から呼びかけて撮影を行う撮影モード、あるいは撮影しようとする被写体ユーザＵ０以外は撮影エリア５Ａから退出する旨を通知してから撮影を行う撮影モードに切り替えてもよい。本実施形態においては、マニュアル撮影モードに切り替えるものとして説明する。なお、マニュアル撮影モード時に被写体ユーザＵ０に対して撮影を行うことを呼びかけるようにしてもよい。
【００３１】
ここで、マニュアル撮影モードおよび被写体ユーザＵ０に呼びかけて撮影を行う撮影モードにおいては、撮影される被写体ユーザＵ０に自身が撮影されることを知らせる必要がある。このため、制御部１４Ｄは画像保管サーバ４にアクセスして、返信情報に含まれるユーザＩＤに基づいて後述するユーザデータベースを参照してユーザの氏名を表す情報を取得して表示器１５に送信し、後述するように表示器１５に撮影しようとする被写体ユーザＵ０の氏名の呼びかけを行わせる。
【００３２】
また、撮影デバイス１４は、通信デバイス１３が送信した返信信号により表される返信情報および撮影により取得した画像データＳ１を通信部１４Ｇから画像保管サーバ４に送信する。なお、撮影により取得した第１の画像データＳ１を表示器１５に送信して表示器１５に表示するようにしてもよい。
【００３３】
さらに、撮影デバイス１４は、人物センサ１６Ａ，１６Ｂから送信された信号に基づいて撮影エリア５Ａ内の被写体ユーザＵ０の位置を把握し、駆動部１４Ｆを駆動して撮影部１４Ａの画角内に被写体ユーザＵ０が入るように撮影部１４Ａのパンおよびチルトを行う。
【００３４】
ここで、撮影デバイス１４が取得した第１の画像データＳ１は、通信デバイス１３が送信した返信信号により表される返信情報、撮影日時を表す撮影日時情報、および撮影システム１Ａの設置場所を表す設置場所情報とともに、画像保管サーバ４に送信される。なお、返信情報、撮影日時情報および設置場所情報は第１の画像データＳ１とは別ファイルとして画像保管サーバ４に送信してもよく、第１の画像データＳ１のタグに記述して第１の画像データＳ１とともに画像保管サーバ４に送信してもよい。本実施形態においては、返信情報、撮影日時情報および設置場所情報は第１の画像データＳ１のタグに記述されるものとする。
【００３５】
図６は表示器の構成を示す概略ブロック図である。図６に示すように表示器１５は、撮影デバイス１４から送信される種々の指示を表す指示信号および画像データＳ１を受信する受信部１５Ａと、画像データＳ１や種々の情報を表示するモニタ１５Ｂと、指示信号に基づいて被写体ユーザＵ０に撮影の指示等を行うための音声を出力するスピーカ１５Ｃとを備える。
【００３６】
ここで、上述したように撮影デバイス１４において設定された撮影モードが、マニュアル撮影モードおよび被写体ユーザＵ０に呼びかけてから撮影を行うモードである場合のように、被写体ユーザＵ０に呼びかけを行う場合には、その旨が撮影デバイス１４から指示され、「○○くん、これから撮影するよ」、「××ちゃん、撮影ボタンを押してね」等のように、被写体ユーザＵ０を特定した音声を出力する。
【００３７】
人物センサ１６Ａ，１６Ｂは、撮影エリア５Ａ内の被写体ユーザＵ０の位置を検出し、被写体ユーザＵ０の位置を表す位置信号を、パンおよびチルトに用いるために撮影デバイス１４に送信する。なお、図２においては２つの人物センサ１６Ａ，１６Ｂを設けているが、３以上の人物センサを設けて被写体ユーザＵ０の位置の検出精度を向上させてもよい。
【００３８】
図７はカメラ画像取得システムの構成を示す概略ブロック図である。図７に示すように、カメラ画像取得システム２は、被写体ユーザＵ０が所持するデジタルカメラ１０から被写体ユーザＵ０が撮影により取得した第２の画像データＳ２を読み出す読出部２１と、被写体ユーザＵ０が所持する無線タグ３０に問い合わせ情報を表す問い合わせ信号を発信するとともに、無線タグ３０からの問い合わせ信号に対する返信信号を受信する通信部２２と、第２の画像データＳ２を一時的に記憶する第１のメモリ２３と、第２の画像データＳ２および返信信号により表される返信情報を画像保管サーバ４に送信する送信部２４と、カメラ画像取得システム２の駆動を制御する制御部２５と、制御プログラムや種々の情報を記憶する第２のメモリ２６とを備える。
【００３９】
読出部２１は、デジタルカメラ１０に接続するＵＳＢケーブル、デジタルカメラ１０のメモリカードを装填するカードリーダ、デジタルカメラ１０を設置するクレードル等が接続されるが、本実施形態においては、読出部２１はデジタルカメラ１０を設置するクレードル２１Ａが接続され、クレードル２１Ａとデジタルカメラ１０とを接続してデジタルカメラ１０から第２の画像データＳ２を読み出すものとする。
【００４０】
カメラ画像取得システム２は、被写体ユーザＵ０が読出部２１のクレードル２１Ａにデジタルカメラ１０を設置すると、デジタルカメラ１０から被写体ユーザＵ０が取得した第２の画像データＳ２を読み出すとともに、被写体ユーザＵ０が所持する無線タグ３０に問い合わせ信号を送信し、無線タグ３０が送信した返信信号を受信する。そして、第２の画像データＳ２と返信信号により表される返信情報とともに画像保管サーバ４に送信する。なお、返信情報は第２の画像データＳ２とは別ファイルとして画像保管サーバ４に送信してもよく、第２の画像データＳ２のタグに記述して第２の画像データＳ２とともに画像保管サーバ４に送信してもよい。また、第２の画像データＳ２のタグには撮影日時を表す撮影日時情報が記述される。本実施形態においては、返信情報は第２の画像データＳ２のタグに記述されるものとする。
【００４１】
図８は画像保管サーバの構成を示す概略ブロック図である。図８に示すように画像保管サーバ４は、撮影システム１Ａ，１Ｂ，１Ｃ、カメラ画像取得システム２、被写体ユーザＵ０が所持する端末装置６およびラボ８とネットワーク３を介しての通信を行う通信部４１と、第１および第２の画像データＳ１，Ｓ２、検索用のデータベースＤＢ１、画像保管サーバ４の制御プログラム、およびユーザＩＤとユーザ情報とを対応付けたユーザデータベースＤＢ２等の種々の情報を記憶する大容量のメモリ４２と、メモリ４２に記憶されるデータベースＤＢ１を生成することにより、メモリ４２に記憶された第１および第２の画像データＳ１，Ｓ２の管理を行う管理部４３と、画像保管サーバ４の駆動を制御する制御部４４とを備える。
【００４２】
管理部４３は、撮影システム１Ａ，１Ｂ，１Ｃが送信した第１の画像データＳ１のタグに記述された情報（タグ情報）およびカメラ画像取得システム２が送信した第２の画像データＳ２のタグ情報からデータベースＤＢ１を生成する。ここで、第１の画像データＳ１のタグ情報には、第１の画像データＳ１のファイル名、返信情報により表される被写体ユーザＵ０のユーザＩＤ、撮影日時情報、設置場所情報、カメラＩＤおよび撮影情報が含まれる。
【００４３】
なお、撮影情報には、撮影時におけるストロボの有無、ズーム倍率、パンおよびチルトの量が含まれる。また、第２の画像データＳ２のタグ情報には、第２の画像データＳ２のファイル名、返信情報により表される被写体ユーザＵ０のＩＤ、撮影日時情報および撮影情報が含まれる。
【００４４】
そして、管理部４３は、第１および第２の画像データＳ１，Ｓ２に付与されたタグ情報に含まれる被写体ユーザＵ０のユーザＩＤに基づいて、被写体ユーザＵ０毎に第１および第２の画像データＳ１，Ｓ２を分類し、さらに第１および第２の画像データＳ１，Ｓ２のタグ情報に記述された撮影日時情報に基づいて、撮影日時が古い順に第１および第２の画像データＳ１，Ｓ２をソートしてデータベースＤＢ１を生成する。
【００４５】
図９はデータベースＤＢ１の構成例を示す図である。図９に示すように、データベースＤＢ１は、ユーザＩＤ毎に分類され（図９においてはユーザ１，ユーザ２…とする）、さらに各ユーザＩＤ毎に第１および第２の画像データＳ１，Ｓ２が撮影日時が古い順にソートされて第１および第２の画像データＳ１，Ｓ２のファイル名が記述される。
【００４６】
図９においては、ユーザ２のＮｏ．１の画像データは撮影システム１Ａが取得したものであり、ファイル名が００２４．ｊｐｇ、撮影日時が２００２年１１月６日１０時３２分、撮影場所が撮影エリア５Ａ、カメラＩＤが１Ａとなっている。
【００４７】
ユーザ２のＮｏ．２の画像データは被写体ユーザＵ０がデジタルカメラ１０により取得したものであり、ファイル名がＤＳＣ０００１．ｊｐｇ、撮影日時が２００２年１１月６日１０時４５分となっている。
【００４８】
ユーザ２のＮｏ．３の画像データは撮影システム１Ｂが取得したものであり、ファイル名が００４４．ｊｐｇ、撮影日時が２００２年１１月６日１１時１５分、撮影場所が撮影エリア５Ｂ、カメラＩＤが１Ｂとなっている。
【００４９】
ここで、管理部４３は、ソート後に第２の画像データＳ２の撮影場所を撮影日時が前後する少なくとも２つの第１の画像データＳ１の撮影場所に基づいて推定し、データベースＤＢ１における第２の画像データＳ２の撮影場所を推定された撮影場所にて記述する。例えば、図９に示すように、ファイル名がＤＳＣ０００１．ｊｐｇの第２の画像データＳ２については、撮影時日時が前のファイル名が００２４．ｊｐｇの第１の画像データＳ１の撮影場所が撮影エリア５Ａであり、撮影日時が後のファイル名が００４４．ｊｐｇの第１の画像データＳ１の撮影場所が撮影エリア５Ｂであるため、被写体ユーザＵ０はファイル名がＤＳＣ０００１．ｊｐｇの第２の画像データＳ２を撮影エリア５Ａ，５Ｂの間のエリア７Ａにおいて取得したと推定できる。このため、管理部４３は、ファイル名がＤＳＣ０００１．ｊｐｇの第２の画像データＳ２の撮影場所をエリア７Ａと記述してデータベースＤＢ１を生成する。
【００５０】
画像保管サーバ４の制御部４４は、端末装置６からアクセスがあると、被写体ユーザＵ０が端末装置６に入力したユーザＩＤに基づいてデータベースＤＢ１を検索して、そのユーザＩＤに分類された第１および第２の画像データＳ１，Ｓ２の閲覧をアクセスした端末装置６に許可する。被写体ユーザＵ０は端末装置６を操作して、第１および第２の画像データＳ１，Ｓ２のダウンロードや、アルバム作成の依頼、ＣＤ−Ｒ作成の依頼およびプリント注文を画像保管サーバ４に対して行う。
【００５１】
図１０は無線タグ３０の構成を示す概略ブロック図である。図１０に示すように、無線タグ３０は、無線タグ３０を所持する被写体ユーザＵ０を特定するユーザＩＤ等を記憶するメモリ３１と、問い合わせ信号の受信およびユーザＩＤを含む返信情報を表す返信信号や撮影指示信号の送信を行う通信部３２と、マニュアル撮影を行う場合に撮影指示を行う撮影ボタン３３と、無線タグ３０の駆動を制御する制御部３４とを備え、被写体ユーザＵ０が所持しやすいようにカード状に形成されてなるものである。ここで、撮影ボタン３３が押下されると、撮影指示を行うための撮影指示信号が通信部３２から通信デバイス１３に送信される。
【００５２】
なお、無線タグ３０の具体例としては電池内蔵で交信距離が数メートル以上の長距離型ＲＦＩＤタグが考えられる。また、無線タグ３０は、撮影システム１Ａ，１Ｂ，１Ｃでの撮影を望むテーマパークの入場者である被写体ユーザＵ０に配布される。この際、被写体ユーザＵ０の氏名、住所および電話番号等を画像保管サーバ４のユーザデータベースＤＢ２に登録することにより、被写体ユーザＵ０に基づいて被写体ユーザＵ０の氏名を特定することができるため、上述したように撮影時に表示器１５から被写体ユーザＵ０を特定した音声を出力することが可能となる。
【００５３】
次いで、本実施形態において行われる処理について説明する。図１１は撮影システム１Ａ，１Ｂ，１Ｃにおいて撮影時に行われる処理を示すフローチャートである。なお、ここでは撮影システム１Ａにおいて行われる処理について説明する。
【００５４】
撮影デバイス１４の制御部１４Ｄは、通信デバイス１３に常時問い合わせ信号を所定間隔で発信させており（ステップＳ１）、さらに通信デバイス１３が撮影エリア５Ａ内に存在する被写体ユーザＵ０の無線タグ３０から問い合わせ信号に対する返信信号を受信したか否かを監視している（ステップＳ２）。ステップＳ２が肯定されると、人物センサ１６Ａ，１６Ｂにより撮影エリア５Ａ内の被写体ユーザＵ０を検出し（ステップＳ３）、被写体ユーザＵ０を捕捉するように撮影部１４Ａのパンおよびチルトを行う（ステップＳ４）。
【００５５】
そして、制御部１４Ｄは撮影部１４Ａが被写体ユーザＵ０を捕捉したか否かを判定し（ステップＳ５）、ステップＳ５が否定されるとステップＳ３へ戻る。ステップＳ５が肯定されると、撮影モードが自動撮影かマニュアル撮影かを判定する（ステップＳ６）。なお、撮影モードは、広域センサ１２がカウントしたエリア１９内の被写体ユーザＵ０の数が所定のしきい値Ｔｈ１以上の場合にマニュアル撮影に、しきい値Ｔｈ１未満の場合に自動撮影に切り替えられる。
【００５６】
撮影モードが自動撮影の場合には、制御部１４Ｄは撮影を行う旨の指示を表示器１５に行い（ステップＳ７）、表示器１５から出力される撮影指示の音声のタイミングに合わせて撮像部１４Ａが撮影を行って第１の画像データＳ１を取得する（ステップＳ８）。
【００５７】
一方、撮影モードがマニュアル撮影の場合には、制御部１４Ｄは被写体ユーザＵ０に無線タグ３０の撮影ボタン３３を押下させる指示を表示器１５に行う（ステップＳ９）。そして、制御部１４Ｄは、被写体ユーザＵ０が撮影ボタン３３を押下することにより無線タグ３０が送信した撮影指示信号を通信デバイス１３が受信したか否かの監視を開始し（ステップＳ１０）、ステップＳ１０が肯定されるとステップＳ８に進み、撮影部１４Ａが撮影を行って第１の画像データＳ１を取得する。
【００５８】
そして制御部１４Ｄは通信部１４Ｇを介して第１の画像データＳ１および無線タグ３０が送信した返信信号により表される返信情報を画像保管サーバ４に送信し（ステップＳ１１）、処理を終了する。
【００５９】
図１２はカメラ画像取得システム２において行われる処理を示すフローチャートである。まず、カメラ画像取得システム２の制御部２５は、読出部２１に接続されたクレードル２１Ａにデジタルカメラ１０が設置されたか否かを監視しており（ステップＳ２１）、ステップＳ２１が肯定されると、デジタルカメラ１０から被写体ユーザＵ０が撮影により取得した第２の画像データＳ２を読み出し（ステップＳ２２）、メモリ２３に一時的に記憶する（ステップＳ２３）。続いて、被写体ユーザＵ０が所持する無線タグ３０に問い合わせ信号を送信し（ステップＳ２４）、無線タグ３０が送信した返信信号を受信する（ステップＳ２５）。そして、第２の画像データＳ２を返信信号により表される返信情報とともに画像保管サーバ４に送信し（ステップＳ２６）、処理を終了する。
【００６０】
画像保管サーバ４においては、管理部４３が撮影システム１Ａ，１Ｂ，１Ｃから送信された第１の画像データＳ１のタグ情報およびカメラ画像取得システム２から送信された第２の画像データＳ２のタグ情報からデータベースＤＢ１を生成する。
【００６１】
そして、被写体ユーザＵ０が後日端末装置６から画像保管サーバ４にアクセスし、ユーザＩＤを画像保管サーバ４に送信すると、制御部４４がユーザＩＤをキーとしてメモリ４２に保管されたデータベースＤＢ１を検索し、そのユーザＩＤに分類された第１および第２の画像データＳ１，Ｓ２を端末装置６に表示する。具体的には、例えば図１３に示すように撮影日時順にソートされた画像データＳ１，Ｓ２のサムネイル画像の一覧を端末装置６に表示する。なお、サムネイル画像の一覧には、ファイル名、撮影日時および推定された撮影場所も含まれる。また、撮影システム１Ａ，１Ｂ，１Ｃが取得した第１の画像データＳ１のサムネイル画像には、その旨を示す☆印が付与されている。
【００６２】
被写体ユーザＵ０はサムネイル画像の一覧からプリント注文やＣＤ−Ｒへの記録等の注文を行うサムネイル画像を選択し、注文の指示を画像保管サーバ４に対して行う。また、所望とする第１および第２の画像データＳ１，Ｓ２をダウンロードして自身でアルバムを作成することも可能である。
【００６３】
なお、画像保管サーバ４に注文を行った場合には、画像保管サーバ４は注文のあった第１および第２の画像データＳ１，Ｓ２をラボ８に送信する。ラボ８は注文に応じて第１および第２の画像データＳ１，Ｓ２のプリント出力やＣＤ−Ｒへの記録を行う。
【００６４】
このように、本実施形態においては、画像保管サーバ４が撮影システム１Ａ，１Ｂ，１Ｃが取得した第１の画像データＳ１と被写体ユーザＵ０がデジタルカメラ１０により取得した第２の画像データＳ２とを、無線タグ３０が送信した返信信号により表される返信情報に含まれるユーザＩＤ毎に分類して保管するようにしたため、被写体ユーザＵ０は画像保管サーバ４にアクセスしてユーザＩＤをキーとして検索を行うことにより、撮影システム１Ａ，１Ｂ，１Ｃが取得した第１の画像データＳ１と自身が取得した第２の画像データＳ２とを同時に参照することができる。したがって、撮影システム１Ａ，１Ｂ，１Ｃが取得した第１の画像データＳ１とともに、自身が取得した第２の画像データＳ２についてもプリント注文やアルバムの作成を効率よく行うことができる。
【００６５】
また、分類された第１の画像データＳ１に関連付けられた撮影日時情報および分類された第２の画像データＳ２に関連付けられた撮影日時情報に基づいて、撮影日時順に第１および第２の画像データＳ１，Ｓ２をソートしているため、撮影システム１Ａ，１Ｂ，１Ｃが取得した第１の画像データＳ１および自身が取得した第２の画像データＳ２を撮影日時順に参照することが可能となり、その結果、プリント注文やアルバムの作成を容易に行うことができる。
【００６６】
また、第１および第２の画像データＳ１，Ｓ２を撮影日時順にソートした場合に、第２の画像データＳ２に撮影日時が前後する第１の画像データＳ１の撮影場所から、その第２の画像データＳ２の撮影場所を推定してデータベースＤＢ１に記述しているため、第２の画像データＳ２の撮影場所を大まかながらも推定することができ、これにより、アルバムを作成する際に、第２の画像データＳ２に撮影場所を文字として付与したり第１および第２の画像データＳ１，Ｓ２を撮影場所毎に分類することが容易となる。
【００６７】
例えば、図１４に示すように、テーマパーク内の地図上に写真を配置するテンプレートを用意した場合、撮影システム１Ａ，１Ｂ，１Ｃが取得した第１の画像データＳ１に加えて、エリア７Ａにおいて被写体ユーザＵ０が取得した第２の画像データＳ２もこのテンプレートに含めることができるため、被写体ユーザＵ０はテーマパーク内を移動した位置に応じて画像が挿入された合成画像Ｇ０を得ることができる。
【００６８】
また、上記実施形態においては、３つの撮影システム１Ａ，１Ｂ，１Ｃを設けているが、２つあるいは４以上の撮影システムを設けてもよい。
【００６９】
また、上記実施形態においては、被写体ユーザＵ０が所持するデジタルカメラ１０により撮影を行う場合について説明したが、被写体ユーザＵ０が所持するカメラ付き携帯電話により撮影を行う場合にも、本発明を適用できることはもちろんである。
【図面の簡単な説明】
【図１】本発明の実施形態による画像管理システムの構成を示す概略ブロック図
【図２】撮影システムの構成を示す概略斜視図
【図３】広域センサの構成を示す概略ブロック図
【図４】通信デバイスの構成を示す概略ブロック図
【図５】撮影デバイスの構成を示す概略ブロック図
【図６】表示器の構成を示す概略ブロック図
【図７】カメラ画像取得システムの構成を示す概略ブロック図
【図８】画像保管サーバの構成を示す概略ブロック図
【図９】データベースの構成例を示す図
【図１０】無線タグの構成を示す概略ブロック図
【図１１】撮影システムにおいて撮影時に行われる処理を示すフローチャート
【図１２】カメラ画像取得システムにおいて行われる処理を示すフローチャート
【図１３】サムネイル画像の一覧を示す図
【図１４】合成画像の例を示す図
【符号の説明】
１Ａ，１Ｂ，１Ｃ    撮影システム
２    カメラ画像取得システム
３    ネットワーク
４    画像保管サーバ
５Ａ，５Ｂ，５Ｃ    撮影エリア
６    端末装置
８    ラボ
１１Ａ，１１Ｂ    ゲート
１２    広域センサ
１３    通信デバイス
１４    撮影デバイス
１５    表示器
１６Ａ，１６Ｂ    人物センサ
【図１】
2004260304.tif 000003
【図２】
2004260304.tif 000004
【図３】
2004260304.tif 000005
【図４】
2004260304.tif 000006
【図５】
2004260304.tif 000007
【図６】
2004260304.tif 000008
【図７】
2004260304.tif 000009
【図８】
2004260304.tif 000010
【図９】
2004260304.tif 000011
【図１０】
2004260304.tif 000012
【図１１】
2004260304.tif 000013
【図１２】
2004260304.tif 000014
【図１３】
2004260304.tif 000015
【図１４】
2004260304.tif 000016